(57)【特許請求の範囲】
【請求項１】
橈骨動脈と交差する一方向に並ぶ複数の圧力検出素子からなる素子列を有するセンサチップと、前記センサチップが固定される基板と、を含むセンサ部と、
前記センサ部を保護する保護部材と、
前記圧力検出素子が形成された前記センサチップの検出面と前記保護部材に設けられた開口部との間に充填されている充填材と、を有し、
前記開口部が、前記センサチップの前記基板に固定された側の反対側であって前記検出面に垂直な垂直方向において前記検出面と対向する位置に配置されている、圧脈波センサと、
前記圧脈波センサを前記一方向及び前記垂直方向に直交する方向の周りに回転させる回転機構と、を備え、
前記保護部材の外周面は、
前記開口部が形成された頂面と、
前記頂面の前記一方向の両端縁と連続する面であって、前記開口部の開口面に対して傾斜した傾斜面と、を有し、
前記傾斜面の傾斜角度は、前記回転機構によって前記圧脈波センサが回転可能な回転角の最大値未満になっている脈波検出装置。
【請求項２】
請求項１記載の脈波検出装置であって、
前記保護部材は、前記充填材よりも硬度が高い材料で構成されている脈波検出装置。
【請求項３】
請求項２記載の脈波検出装置であって、
前記保護部材はセラミックによって構成されている脈波検出装置。
【請求項４】
請求項１〜３のいずれか１項記載の脈波検出装置であって、
前記保護部材の外周面は、更に前記開口部の開口面に垂直な垂直面を有し、
前記垂直面は、前記垂直方向において前記開口面よりも前記センサチップ側に位置し、かつ、前記垂直方向にみた平面視において前記保護部材の前記頂面の端縁と重なる又は前記頂面の端縁よりも外側に位置する脈波検出装置。
【請求項５】
請求項１〜４のいずれか１項記載の脈波検出装置であって、
前記基板に設けられ、前記センサチップの前記一方向の端部に設けられた端子部と電気的に接続するための基板側端子部と、
前記センサチップの端子部と前記基板側端子部とを接続する導電部材と、を更に備え、
前記導電部材は、前記垂直方向にみた平面視において前記頂面の端縁と重ならない位置に配置されている脈波検出装置。
【請求項６】
請求項１〜５のいずれか１項記載の脈波検出装置と、
前記圧脈波センサによって検出された圧脈波に基づいて生体情報を算出する生体情報算出部と、を備える生体情報測定装置。
【発明の詳細な説明】
【技術分野】
【０００１】
本発明は、圧脈波センサ、脈波検出装置、及び、生体情報測定装置に関する。
【背景技術】
【０００２】
手首の橈骨動脈等の動脈が通る生体部位に圧力センサを直接接触させた状態で、この圧力センサにより検出される情報を用いて脈拍又は血圧等の生体情報を測定することのできる生体情報測定装置が知られている（例えば特許文献１参照）。
【０００３】
特許文献１に記載の生体情報測定装置に搭載される圧力センサは、回路基板と、この回路基板上に設けられたスペーサと、このスペーサの上に設けられたセンサチップと、この回路基板を収容するケースと、回路基板を保護するための保護プレートと、を備える。この保護プレートには開口が設けられており、この開口からセンサチップが突出する構成となっている。
【先行技術文献】
【特許文献】
【０００４】
【特許文献１】特開平４−６７８３９号公報
【発明の概要】
【発明が解決しようとする課題】
【０００５】
特許文献１に記載のセンサ部では、センサチップが保護プレートの開口から突出している。このため、圧力センサにおいて手首と接触する部分はセンサチップの表面が支配的となり、センサチップ表面に加わる力が大きくなる。したがって、例えば１日等の長い時間に渡って生体情報測定装置を装着することを想定した場合には、センサチップの耐久性向上が課題となる。
【０００６】
本発明は、上記事情に鑑みてなされたものであり、長時間の装着を行う場合の耐久性を十分に確保することができかつ製造コストを抑えることができる圧脈波センサ、脈波検出装置、及び、生体情報測定装置を提供することを目的とする。
【課題を解決するための手段】
【０００８】
本発明の脈波検出装置は、橈骨動脈と交差する一方向に並ぶ複数の圧力検出素子からなる素子列を有するセンサチップと、前記センサチップが固定される基板と、を含むセンサ部と、前記センサ部を保護する保護部材と、前記圧力検出素子が形成された前記センサチップの検出面と前記保護部材に設けられた開口部との間に充填されている充填材と、を有し、前記開口部が、前記センサチップの前記基板に固定された側の反対側であって前記検出面に垂直な垂直方向において前記検出面と対向する位置に配置されている、圧脈波センサと、前記圧脈波センサを前記一方向及び前記垂直方向に直交する方向の周りに回転させる回転機構と、を備え、前記保護部材の外周面は、前記開口部が形成された頂面と、前記頂面の前記一方向の両端縁と連続する面であって、前記開口部の開口面に対して傾斜した傾斜面と、を有し、前記傾斜面の傾斜角度は、前記回転機構によって前記圧脈波センサが回転可能な回転角の最大値未満になっているものである。
【０００９】
本発明の生体情報測定装置は、前記脈波検出装置と、前記圧脈波センサによって検出された圧脈波に基づいて生体情報を算出する生体情報算出部と、を備えるものである。
【発明の効果】
【００１１】
本発明によれば、長時間の装着を行う場合の耐久性を十分に確保することができかつ製造コストを抑えることができる圧脈波センサとこれを備える生体情報測定装置を提供することができる。
【図面の簡単な説明】
【００１２】
【図１】本発明の一実施形態である生体情報測定装置１００の概略構成を示す模式図である。
【図２】図１に示す圧脈波センサ１０の外観構成を示す分解斜視図である。
【図３】図１に示す圧脈波センサ１０の外観構成を示す斜視図である。
【図４】図２に示すセンサ部２０の外観構成を示す模式図である。
【図５】図３に示すＶ−Ｖ線の断面模式図である。
【図６】図３に示す圧脈波センサ１０を方向Ｚから見た平面図である。
【図７】図２に示す圧脈波センサ１０の保護カバー４０の変形例である保護カバー４０１の外観構成を示す斜視図である。
【図８】図２に示す圧脈波センサ１０の変形例である圧脈波センサ１２の断面模式図である。
【図９】図２に示す圧脈波センサ１０のセンサ部２０の変形例であるセンサ部２０１の外観構成を示す斜視図である。
【図１０】図２に示す圧脈波センサ１０の変形例の断面模式図である。
【発明を実施するための形態】
【００１３】
以下、本発明の実施形態について図面を参照して説明する。
【００１４】
図１は、本発明の一実施形態である生体情報測定装置１００の概略構成を示す模式図である。
【００１５】
生体情報測定装置１００は、筐体８０と、筐体８０によって支持されている空気袋７０と、空気袋７０に固定された回転駆動部６０と、回転駆動部６０によって回転自在に支持された圧脈波センサ１０と、を備える。生体情報測定装置１００は、図示しないバンドによって被測定者の手首に装着して用いられる。
【００１６】
空気袋７０は、回転駆動部６０及び圧脈波センサ１０を手首の体表面に対して押圧する押圧部材を構成する。空気袋７０は、筐体８０に内蔵されている図示しないポンプによって内圧が調整される。ポンプは、筐体８０に内蔵されている制御部によって制御される。
【００１７】
回転駆動部６０は、圧脈波センサ１０の後述する検出面に沿う互いに直交する２つの方向の各々に伸びる軸の周りに圧脈波センサ１０を回転させるための回転機構６１と、回転機構６１を駆動するアクチュエータ６２と、を有する。アクチュエータ６２は、筐体８０に内蔵されている制御部によって制御される。
【００１８】
圧脈波センサ１０は、空気袋７０によって所定の押圧力で体表面に対して押圧されている状態で、手首の内部を通る橈骨動脈Ｔから体表面に伝わる圧力振動波である圧脈波を検出するセンサである。筐体８０内には、圧脈波センサ１０により検出された圧脈波に基づいて脈拍数、心拍数、又は、血圧値等の生体情報を算出する不図示の生体情報算出部が内蔵されている。
【００１９】
図２は、図１に示す圧脈波センサ１０の外観構成を示す分解斜視図である。図３は、図１に示す圧脈波センサ１０の外観構成を示す斜視図である。
【００２０】
圧脈波センサ１０は、一方向である方向Ｘに沿って長手の形状の２つのセンサ部２０と、２つのセンサ部２０が方向Ｘに直交する方向Ｙに並べて固定されたフレキシブル基板２１と、フレキシブル基板２１が固定されたベース３０と、フレキシブル基板２１が固定されたベース３０に固定されて２つのセンサ部２０を保護する保護部材としての保護カバー４０と、を備える。
【００２１】
ベース３０は、方向Ｘ及び方向Ｙに直交する方向Ｚから見た平面形状が矩形状であり、フレキシブル基板２１が載置される載置面３２を有する。載置面３２には、方向Ｚに向かって載置面３２を貫通するベース貫通孔３３が、センサ部２０の数に対応して２つ設けられている。また、載置面３２において方向Ｙの両端位置には、フレキシブル基板２１が挿通可能な大きさの開口３４が設けられている。フレキシブル基板２１の両端は、この開口３４を通してベース３０の裏側に引き出される。
【００２２】
保護カバー４０は、方向Ｚから見た平面形状がベース３０の外形と同様の大きさの矩形状を呈しており、フレキシブル基板２１がベース３０に固定された状態で、ベース３０の載置面３２の周囲の面に固定される。
【００２３】
保護カバー４０は、ベース３０に固定された状態で２つのセンサ部２０の各々と対向する位置に形成された２つの開口部４２を有する。保護カバー４０の外周面（図３に示す状態で外部に露出する面）は、平坦な頂面４１と、頂面４１の端縁４５と連続する傾斜面４４と、傾斜面４４の端縁と連続する頂面４１に垂直な垂直面４６と、を備える。保護カバー４０の詳細形状については後述する。
【００２４】
図４は、図２に示すセンサ部２０の外観構成を示す模式図である。図５は、図３に示すＶ−Ｖ線の断面模式図である。
【００２５】
センサ部２０は、センサチップ２２と、凹部５１を有し凹部５１の底面５２にセンサチップ２２が固定された容器状の基板５０と、を備える。
【００２６】
センサチップ２２は、シリコン単結晶又はガリウム−砒素等の化合物半導体の単結晶等の半導体基板２３を備える。半導体基板２３は、方向Ｘが長手方向となる矩形状となっている。半導体基板２３の表面には、方向Ｘに沿って配列された複数の圧力検出素子２４からなる素子列２５が形成されている。圧力検出素子２４は、素子に加わる歪みを圧力信号として検出する素子であり、例えば、歪ゲージ抵抗式、半導体ピエゾ抵抗式、又は、静電容量式等の素子が用いられる。半導体基板２３の表面は平面になっており、この平面が圧力を検出する検出面２６を構成する。検出面２６に垂直な方向が方向Ｚである。
【００２７】
半導体基板２３の表面の方向Ｘの両端部には、各圧力検出素子２４と電気的に接続された電極パッドからなるチップ側端子部２７が形成されている（図４参照）。
【００２８】
基板５０は、セラミック基板又はガラス基板等の半導体基板２３よりも十分に剛性の高い硬質基板により構成されている。基板５０は、方向Ｘが長手方向となる矩形状となっている。
【００２９】
図５に示すように、半導体基板２３の検出面２６の反対面には、検出面２６に垂直な方向Ｚに凹む凹部が形成されている。半導体基板２３は、この凹部によって、方向Ｚにおける厚みが他の部分よりも薄い薄肉部（ダイヤフラム）を有する構成となっている。
【００３０】
半導体基板２３の検出面２６の反対面のうち凹部を除く部分は、接着材２９によって基板５０の凹部５１の底面５２に固定されている。接着材２９は、例えば紫外線硬化樹脂が用いられる。
【００３１】
半導体基板２３の凹部が、基板５０の凹部５１の底面５２に形成された貫通孔５４のみによって大気と連通するように、半導体基板２３は基板５０の凹部５１の底面に固定されている。
【００３２】
図５に示すように、フレキシブル基板２１には、基板５０の貫通孔５４と対向する位置に貫通孔２１１が形成されている。この貫通孔２１１は、ベース３０のベース貫通孔３３と連通している。これにより、ベース貫通孔３３、貫通孔２１１、及び、貫通孔５４によって、半導体基板２３の凹部内が大気圧に保たれるようになっている。
【００３３】
図４に示すように、基板５０の方向Ｘの両端部のうち、凹部５１が形成された面には、チップ側端子部２７の各電極パッドと電気的に接続するための電極パッドからなる基板側端子部５３が設けられている。
【００３４】
図５に示すように、チップ側端子部２７の電極パッドと基板側端子部５３の電極パッドは、金又はアルミニウム等の導電部材２８により接続されている。導電部材２８は、樹脂等の絶縁材料からなる保護部材２８１によって周囲を覆われて保護されている。基板５０の凹部５１の側面と、半導体基板２３及び接着材２９との間は、保護部材２８１よりも温度及び湿度による体積変化の少ない材料２８２によって埋められている。
【００３５】
次に、保護カバー４０の詳細について説明する。
【００３６】
保護カバー４０の頂面４１は、センサチップ２２の検出面２６に垂直な方向Ｚにおいて圧力検出素子２４よりもセンサチップ２２と基板５０との固定箇所（接着材２９のある場所）側とは反対側に配置されかつ検出面２６に平行な面である。２つの面が平行であるとは、２つの面のなす角度が０度を中心とする公差を含めた範囲に納まっている状態をいう。同様に、２つの面が垂直であるとは、この２つの面のなす角度が９０度を中心とする公差を含めた範囲に納まっている状態をいう。
【００３７】
保護カバー４０には、頂面４１のうちの各センサチップ２２の検出面２６と対向する位置から該検出面２６側に向かって貫通する開口部４２が形成されている。方向Ｚに見た平面視において、素子列２５の全体は開口部４２と重なっている。
【００３８】
保護カバー４０の内周面と、ベース３０、センサ部２０、及び、フレキシブル基板２１とによって囲まれた空間には、図５に示すように充填材５５が充填されている。
【００３９】
充填材５５は、保護カバー４０の開口部４２にも充填されており、充填材５５の外部に露出する表面５５１は保護カバー４０の頂面４１と同一面に形成されている。この表面５５１は、開口部４２の開口面を構成している。充填材５５の表面５５１と保護カバー４０の頂面４１によって形成される平面は、検出面２６と平行になっており、被測定者の体表面に接触する接触面を形成する。
【００４０】
充填材５５は、保護カバー４０よりも硬度が低い材料が使用されることが好ましい。例えば、保護カバー４０の材料として好ましくはセラミックが用いられ、充填材５５としてはセラミックよりも硬度の低いエポキシ樹脂又はシリコーン樹脂等が用いられる。
【００４１】
図５に示すように、頂面４１と重なりかつ方向Ｘに伸びる直線での断面において、保護カバー４０の傾斜面４４は、頂面４１の方向Ｘの両端縁４５ｘと連続し、かつ、表面５５１に対して方向Ｚのセンサチップ２２に近づく方向に傾斜角θで傾斜した面である。
【００４２】
また、図５に示すように、保護カバー４０の垂直面４６は、傾斜面４４と連続しかつ表面５５１に垂直な面である。垂直面４６は、方向Ｚにおいて表面５５１よりもセンサチップ２２側に位置し、かつ、方向Ｚにみた平面視において頂面４１の端縁４５よりも外側に位置している。
【００４３】
なお、図３の圧脈波センサ１０の方向Ｙに伸びかつ頂面４１を通る直線での断面における保護カバー４０の形状は、図５に示した保護カバー４０の形状と同様である。つまり、保護カバー４０の外周面は、頂面４１と、頂面４１の方向Ｙの両端縁と連続する面であって、頂面４１に対してセンサチップ２２に近づく方向に傾斜した傾斜面４４と、傾斜面４４に連続する垂直面４６とを有する。
【００４４】
方向Ｘと方向Ｙのそれぞれにおけるベース３０の両端部の側面３１は、保護カバー４０が固定された状態で保護カバー４０の垂直面４６と段差なく接続されており、垂直面４６と側面３１は方向Ｚに水平な同一面を形成している。
【００４５】
図６は、図３に示す圧脈波センサ１０を方向Ｚから見た平面図である。図６では、センサ部２０については導電部材２８の位置のみを図示して他の構成要素を省略している。
【００４６】
図６に示すように、センサ部２０の導電部材２８は、方向Ｚに見た平面視において、頂面４１の端縁４５と重ならない位置に配置されている。
【００４７】
頂面４１の端縁４５は、頂面４１が体表面に対して押圧された状態において応力が最も大きく加わる部分である。一方、導電部材２８は、ワイヤボンディング等で形成されているため、大きな力が加わると断線の可能性がある。
【００４８】
図６に示すように、頂面４１の端縁４５と重ならない位置に導電部材２８があることで、応力が大きく加わる部分の下方には導電部材２８が存在しない。このため、圧脈波センサ１０を体表面に押圧した場合でも、導電部材２８に加わる力を小さくすることができ、断線を防止することができる。
【００４９】
なお、図６では、導電部材２８が端縁４５の内側に存在しているが、導電部材２８が端縁４５の外側に存在する構成であっても同様の効果が得られる。
【００５０】
図１に示した生体情報測定装置１００の回転機構６１は、方向Ｘに伸びる軸と方向Ｙに伸びる軸の２つの軸の各々の周りに圧脈波センサ１０を回転させるための機構である。
【００５１】
以上のように構成された生体情報測定装置１００は、方向Ｘが圧脈波の検出対象となる手首の橈骨動脈Ｔ（図１参照）と交差するように手首に装着して使用される。
【００５２】
手首に生体情報測定装置１００が装着され、測定開始指示がなされると、制御部は、空気袋７０の内圧を増加させて、圧脈波センサ１０を手首の表面に対して押圧する。
【００５３】
制御部は、圧脈波の検出精度が最大となるように圧脈波センサ１０の方向Ｘに伸びる軸と方向Ｙに伸びる軸の２つの軸の各々の周りの回転角度を決定する。
【００５４】
制御部は、圧脈波センサ１０を上記決定した回転角度で回転させ、所定の押圧力で体表面に圧脈波センサ１０を押圧した状態で、圧脈波センサ１０の圧力検出素子２４によって圧脈波を検出し、検出した圧脈波に基づいて生体情報を算出し記憶する。
【００５５】
以上のように、圧脈波センサ１０によれば、センサチップ２２の検出面２６よりも上方に保護カバー４０の開口部４２が設けられ、この開口部４２が充填材５５によって埋められて、保護カバー４０の頂面４１と充填材５５の表面５５１とにより、体表面との接触面が形成される。
【００５６】
このように、体表面に押圧される接触面が保護カバー４０と充填材５５とによって構成されているため、圧脈波センサ１０のセンサチップ２２の耐久性を向上させることができる。したがって、生体情報測定装置１００を長い期間にわたって手首に装着して使用することが可能となる。保護カバー４０として充填材５５よりも硬度の高い材料を用いることで、耐久性をより向上させることができる。
【００５７】
また、圧脈波センサ１０によれば、充填材５５の表面５５１は、頂面４１の平坦性を利用して容易に平坦にすることができる。このため、製造コストを削減することができる。保護カバー４０として充填材５５よりも硬度の高い材料を用いた場合には、充填材５５の表面５５１をより容易に平坦にすることができる。
【００５８】
また、圧脈波センサ１０は、保護カバー４０が、頂面４１の方向Ｘの両端縁４５ｘに連続する傾斜面４４を有する構成である。この構成によれば、回転駆動部６０によって圧脈波センサ１０を方向Ｙに伸びる軸の周り（手首周り）に回転させた場合に、保護カバー４０の体表面に当たる面積を減らすことができる。
【００５９】
生体情報測定装置１００は、保護カバー４０の頂面４１が橈骨動脈Ｔの上方に位置するように手首に装着されるが、橈骨動脈Ｔの周囲には橈骨又は腱等の硬い組織が存在する。
【００６０】
圧脈波センサ１０が手首周りに回転した場合には、保護カバー４０の傾斜面４４がこれら固い組織からの圧力を逃がすことができるため、生体情報測定装置１００の装着感を向上させることができる。また、圧脈波センサ１０の回転動作が硬い組織に邪魔されにくくなることで、少ない駆動力及び押圧力で所望の回転角度を維持することが可能となる。
【００６１】
なお、保護カバー４０の傾斜面４４は平面ではなく曲面であってもよい。つまり、保護カバー４０は、頂面４１と垂直面４６とを繋ぐ曲面を有する構成であってもよい。この曲面は、頂面４１の方向Ｘの両端縁と連続し、かつ、表面５５１及び表面５５１に垂直な面の各々と交差する面を構成する。このように、傾斜面４４が曲面で構成されている場合でも、圧脈波センサ１０が手首周りに回転した場合には、保護カバー４０の曲面がこれら固い組織からの圧力を逃がすことができるため、生体情報測定装置１００の装着感を向上させることができる。
【００６２】
なお、図５に示した傾斜面４４の傾斜角θは、回転機構６１によって圧脈波センサ１０を方向Ｙに伸びる軸の周りに回転させることのできる回転角度（空気袋７０による圧脈波センサ１０の押圧方向に対して検出面２６が垂直な状態を基準としたときの回転角度）の最大値未満の値としておくことが好ましい。
【００６３】
このような値にしておくことで、圧脈波センサ１０を手首周りに最大限回転させた場合でも、傾斜面４４が体表面に接触するのを防いで、回転動作を円滑に行うことができる。
【００６４】
また、圧脈波センサ１０は、保護カバー４０が垂直面４６を有する構成である。センサチップ２２は、圧力検出素子２４により検出される歪みの信号を圧力値に変換するのに必要な校正データ取得のために、製造工程において、頂面４１及び表面５５１から構成される接触面を密閉容器におさめた状態で、接触面に圧力をかけて圧力検出素子２４から信号を取得する作業を行う必要がある。
【００６５】
保護カバー４０において表面５５１よりもベース３０側に垂直面４６があることで、この垂直面４６の周りにキャップ状の器具を取り付けて、この器具内を容易に密閉することができる。したがって、校正データの生成作業が容易となり、製造コストを削減することができる。
【００６６】
図７は、図２に示す圧脈波センサ１０の保護カバー４０の変形例である保護カバー４０１の外観構成を示す斜視図である。
【００６７】
保護カバー４０１は、保護カバー４０の方向Ｙの両端面が表面５５１に垂直な垂直面４６に変更された構成である。垂直面４６は、頂面４１の方向Ｙの端縁と連続する面である。
【００６８】
保護カバー４０１の構成によれば、頂面４１の方向Ｙの端縁がセンサチップ２２から離れた位置にあるため、センサチップ２２に加わる応力を減らすことができ、圧脈波検出精度の向上、圧脈波センサ１０の耐久性向上が可能となる。
【００６９】
圧脈波センサ１０の保護カバー４０の外周面は、頂面４１と、頂面４１の端縁４５と連続しかつ表面５５１に垂直な垂直面４６とのみで構成されていてもよい。つまり、保護カバー４０の外周面の傾斜面４４は必須ではない。
【００７０】
図８は、図２に示す圧脈波センサ１０の変形例である圧脈波センサ１２の断面模式図である。
【００７１】
図８に示す圧脈波センサ１２は、保護カバー４０の外周面が、頂面４１と、頂面４１の端縁と連続する垂直面４６とにより構成され、保護カバー４０の外周面が傾斜面４４を有しない点が図５に示す構成とは異なる。その他の構成は、圧脈波センサ１０と同様であり、同様の作用・効果を得ることができる。図８に示す構成では、方向Ｚに見た平面視において、頂面４１の端縁と垂直面４６とは重なっている。
【００７２】
圧脈波センサ１０及び圧脈波センサ１２に搭載されるセンサ部２０の構成は、図１及び図８に示したものには限定されない。例えば、センサ部２０を図９に示したセンサ部２０１に変更してもよい。
【００７３】
センサ部２０１は、基板５０が平板状の基板５０１に変更された点を除いては、センサ部２０と同じ構成である。このようなセンサ部２０１を用いた場合でも、上述してきた効果を得ることができる。
【００７４】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００７５】
例えば、圧脈波センサ１０は、センサ部２０を２つ有するものとしたが、センサ部２０を１つだけ有する構成であってもよい。この場合には、回転機構６１が、圧脈波センサ１０を方向Ｙに伸びる軸の周りにのみ回転させるための機構に変更される。
【００７６】
圧脈波センサ１０がセンサ部２０を１つだけ有する構成の場合は、センサ部２０のセンサチップ２２の表面には１つの圧力検出素子２４だけが形成されていてもよい。この場合には、回転駆動部６０は省略することができる。
【００７７】
また、圧脈波センサ１０は、方向Ｙに配列された３つ以上のセンサ部２０を有する構成であってもよい。
【００７８】
また、保護カバー４０の頂面４１は検出面２６に平行な面とされているが、図１０に示すように、保護カバー４０の頂面４１は検出面２６に対して傾斜していてもよい。図１０に示す変形例においても、頂面４１に形成された開口部４２は充填材５５によって埋められており、この開口部４２の開口面は検出面２６と平行になっている。このような構成であっても耐久性を向上させることができる。
【００７９】
以上では、手首に装着して使用される生体情報測定装置１００を説明したが、動脈が通る生体部位に装着するタイプの生体情報測定装置であれば本発明を適用可能である。
【００８０】
以上説明してきたように、本明細書には以下の事項が開示されている。
【００８１】
開示された圧脈波センサは、圧力検出素子を有するセンサチップと、前記センサチップが固定される基板と、前記基板及び前記センサチップを保護する保護部材と、を備え、前記保護部材は、前記センサチップの前記圧力検出素子が形成された検出面に垂直な方向である垂直方向において前記圧力検出素子よりも前記センサチップと前記基板との固定箇所側とは反対側の前記検出面と対向する位置に配置された開口部を有し、前記開口部と前記検出面との間には充填材が充填されているものである。
【００８２】
開示された圧脈波センサは、前記保護部材は、前記充填材よりも硬度が高い材料で構成されているものである。
【００８３】
開示された圧脈波センサは、前記保護部材はセラミックによって構成されているものである。
【００８４】
開示された圧脈波センサは、前記保護部材の外周面は、前記開口部の開口面に垂直な垂直面を有し、前記垂直面は、前記垂直方向において前記開口面よりも前記センサチップ側に位置し、かつ、前記垂直方向にみた平面視において前記保護部材の前記開口部が形成された頂面の端縁と重なる又は前記頂面の端縁よりも外側に位置するものである。
【００８５】
開示された圧脈波センサは、前記センサチップは、一方向に並ぶ複数の前記圧力検出素子からなる素子列を有し、前記保護部材の外周面は、前記開口部が形成された頂面の前記一方向の両端縁と連続する面であって、前記開口部の開口面及び前記開口面に垂直な面の各々と交差する面を有するものである。
【００８６】
開示された圧脈波センサは、前記基板に設けられ、前記センサチップの前記一方向の端部に設けられた端子部と電気的に接続するための基板側端子部と、前記センサチップの端子部と前記基板側端子部とを接続する導電部材と、を更に備え、前記導電部材は、前記垂直方向にみた平面視において前記頂面の端縁と重ならない位置に配置されているものである。
【００８７】
開示された圧脈波センサは、前記保護部材の外周面は、前記頂面の前記一方向及び前記垂直方向の各々に直交する方向の両端縁と連続する面であって、前記開口部の開口面に対して垂直な垂直面を有するものである。
【００８８】
開示された脈波検出装置は、前記圧脈波センサと、前記圧脈波センサを前記一方向及び前記垂直方向の各々に直交する方向の周りに回転させる回転機構と、を備え、前記面は前記開口面に対して傾斜した傾斜面であり、前記傾斜面の傾斜角度は、前記回転機構によって前記圧脈波センサが回転可能な回転角の最大値未満になっているものである。
【００８９】
開示された生体情報測定装置は、前記脈波検出装置と、前記圧脈波センサによって検出された圧脈波に基づいて生体情報を算出する生体情報算出部と、を備えるものである。
【００９０】
開示された生体情報測定装置は、前記圧脈波センサと、前記圧脈波センサによって検出された圧脈波に基づいて生体情報を算出する生体情報算出部と、を備えるものである。
【符号の説明】
【００９１】
１００  生体情報測定装置
１０、１２  圧脈波センサ
６０  回転駆動部
６１  回転機構
６２  アクチュエータ
７０  空気袋
８０  筐体
Ｔ  橈骨動脈
２０  センサ部
２１  フレキシブル基板
２１１  貫通孔
２２  センサチップ
２３  半導体基板
２４  圧力検出素子
２５  素子列
２６  検出面
２７  チップ側端子部
２８  導電部材
２８１  保護部材
２８２  材料
２９  接着材
３０  ベース
３１  側面
３２  載置面
３３  ベース貫通孔
３４  開口
４０，４０１  保護カバー
４１  頂面
４２  開口部
４４  傾斜面
４５，４５ｘ  端縁
４６  垂直面
５０、５０１  基板
５１  凹部
５２  底面
５３  基板側端子部
５４  貫通孔
５５  充填材
５５１  表面（開口面）
θ  傾斜角
Ｘ，Ｙ，Ｚ  方向
【図１】
0006750294.tif 000002
【図２】
0006750294.tif 000003
【図３】
0006750294.tif 000004
【図４】
0006750294.tif 000005
【図５】
0006750294.tif 000006
【図６】
0006750294.tif 000007
【図７】
0006750294.tif 000008
【図８】
0006750294.tif 000009
【図９】
0006750294.tif 000010
【図１０】
0006750294.tif 000011